(57)【要約】      （修正有）【課題】和洋折衷デザインであって和室になじみ、太陽光の直接侵入を緩和し、断熱性を向上させた障子を提供する。【解決手段】等間隔かつ互いに平行に配された細長いスラット３２が二枚のパネル３１を離間させるように介在し、断面において平行四辺形が連接するようにパネル３１から見てスラット３２を斜めに傾けて構成した合成樹脂製の中空ボード３０を、障子の組子１６の、障子紙２０の貼着してある側と反対側に、スラット３２は長手が水平であり障子紙２０側に向けて下に傾いた向きとなるようにはめ込んで固定した。【選択図】図３
0003219407.tif 000002
【実用新案登録請求の範囲】
【請求項１】
等間隔かつ互いに平行に配された細長い同形の短冊体が二枚のパネル体を離間させるように介在し、断面において平行四辺形が連接するようにパネル体から見て短冊体を斜めに傾けて構成した、合成樹脂製の中空ボードを、
障子の組子の、障子紙の貼着してある側と反対側に、
短冊体は長手が水平であり障子紙側に向けて下に傾いた向きとなるようにはめ込んで固定したことを特徴とする減光断熱障子。
【請求項２】
短冊体は白色であってパネル体は透明であることを特徴とする請求項１に記載の減光断熱障子。
【請求項３】
合成樹脂はポリカーボネート樹脂、アクリル樹脂、ポリエチレン、ポリプロピレン、ポリ塩化ビニル、または、ポリエステルであることを特徴とする請求項１または２に記載の減光遮熱障子。
【考案の詳細な説明】
【技術分野】
【０００１】
本考案は、新規な障子としても提供でき、また、既存の障子に取り付けても提供できる、質感の良い減光遮熱障子に関する。
【背景技術】
【０００２】
近年、マンションや新築家屋では機密性高く、効率的に冷暖房ができる部屋作りがなされている。また、マンションでも洋風家屋でも、障子のある和室の需要も依然ある。この結果、障子紙にかえてプラスチック板を貼り付けた障子や、さらには、木枠をサッシュや合成樹脂にかえ、塗装により見た目を木枠に見せる障子も登場している。
【０００３】
しかしながら、障子紙を単にプラスチック板にした障子は、いかにも安っぽく和室にも洋室にも似合わないという問題点があった。
一方、木枠をサッシュや合成樹脂製にしたものは機密性を高めることを主目的とし副次的に断熱性等もたかまるものの、面積的には障子紙部分が大きいため、その効果は限定的であるという問題点があった。
【先行技術文献】
【特許文献】
【０００４】
【特許文献１】特開２００２−２１４３１
【特許文献２】特開２００４−１１４６５３
【考案の概要】
【考案が解決しようとする課題】
【０００５】
本考案は、上記に鑑みてなされたものであって、和洋折衷デザインであって和室になじみ、太陽光の直接侵入を緩和し、断熱性を向上させた障子を提供することを目的とする。
【課題を解決するための手段】
【０００６】
請求項１に記載の減光断熱障子は、等間隔かつ互いに平行に配された細長い同形の短冊体が二枚のパネル体を離間させるように介在し、断面において平行四辺形が連接するようにパネル体から見て短冊体を斜めに傾けて構成した、合成樹脂製の中空ボードを、障子の組子の、障子紙の貼着してある側と反対側に、短冊体は長手が水平であり障子紙側に向けて下に傾いた向きとなるようにはめ込んで固定したことを特徴とする。
【０００７】
すなわち、請求項１に係る考案は、ブラインド様構造を有するパネルにより直射日光の進入を反射し、また、障子紙との間で空気層を形成するので断熱性の高まった障子を提供できる。また、中空ボード自体にも空気層があるので、断熱効果がより高まる。
【０００８】
通常、組子の厚みは、桟（框）の厚みより小さいので、この差を利用して厚み増を招来することなく障子を提供できる。中空ボードの厚みは適宜設定できるが、例えば、５ｍｍとすることができる。
短冊体の帯幅は８ｍｍ傾斜は約３０°、短冊体同士の間隔は６ｍｍとする例を挙げることができる。
なお、中空ボードは一体成形によりえられるものであってもよい。中空ボードは有色透明であっても無色透明であっても、後述するように、短冊体部分が白色、残余は無色透明とするようにしてもよい。
【０００９】
請求項２に記載の減光断熱障子は、請求項１に記載の減光断熱障子において、短冊体は白色であってパネル体は透明であることを特徴とする。
【００１０】
すなわち、請求項２に係る考案は、質感高く、障子紙とも調和し、洋風家屋にあっても違和感のない障子を提供できる。
【００１１】
請求項３に記載の減光断熱障子は、請求項１または２に記載の減光遮熱障子において、合成樹脂はポリカーボネート樹脂、アクリル樹脂、ポリエチレン、ポリプロピレン、ポリ塩化ビニル、または、ポリエステルであることを特徴とする。
【００１２】
すなわち、請求項３にかかる考案は、質感も高く、難燃もしくは傷つきにくい障子を提供することが可能となる。
【考案の効果】
【００１３】
本考案によれば、和洋折衷デザインであって和室になじみ、太陽光の直接侵入を緩和し、断熱性を向上させた障子を提供することができる。
【図面の簡単な説明】
【００１４】
【図１】本考案の遮光断熱障子の表面を示した説明図である。
【図２】本考案の遮光断熱障子の裏面を示した説明図である。
【図３】本考案の遮光断熱障子の断面斜視図（部分）である。
【考案を実施するための形態】
【００１５】
図１および図２は、本考案の遮光断熱障子の表面および裏面を示した説明図である。図３は、本考案の遮光断熱障子の上方部分の断面斜視図である。以降では、本考案の遮光断熱障子を単に障子と適宜称することとする。なお、説明の便宜上各構成の比率や縮尺は考案の理解に資するべく必要に応じて異ならせて描画している。
【００１６】
障子１は、枠体１０と、障子紙２０と、中空ボード３０と、により構成される。
枠体１０は、上桟１１と、下桟１２と、左右の竪桟１３と、中桟１４と、腰板１５と、組子１６と、により構成される。これらは総て天然木によるものである。
【００１７】
上桟１１と下桟１２と左右の竪桟１３とで障子枠が形成され、中桟１４から上は組子１６を挟んで障子紙２０と中空ボード３０により覆われ、中桟１４から下は腰板１５により障子１の意匠性を高める構成となっている。
【００１８】
なお、腰板１５は必ずしも必要でなく、また、組子１６は、縦の竪子と横の横子により構成されるが、仕様の態様により横子のみの構成としてもよく、また、いわゆる麻模様や亀甲模様等の幾何組子により構成されていても良いものとする。
【００１９】
障子１の大きさは、一般的な日本家屋の設計に基づくが、敷居と鴨居との高さ間隔および幅間隔に応じて設計しても良い。
【００２０】
なお、一般的に、上桟１１と下桟１２と左右の竪桟１３、そして中桟１４は、ほぼ同じ厚み（障子紙２０に垂直方向の高さ）であり（３０ｍｍ〜４０ｍｍ程度）、一方、組子１６は当該厚みより薄い（１５ｍｍ〜２５ｍｍ程度）。そして、裏面すなわち障子紙２０を貼着する側は面一となっており、表面すなわち中空ボード固定する側で組子が沈み込んだ骨組みとして枠体１０が形成される。
【００２１】
障子紙２０は、特に限定されず、均質な和紙や、雲竜、このほか、プリント障子紙などを採用することができる。障子紙２０は、枠体１０の裏面に、上桟１１、中桟１４、左右の竪桟１３に若干かかるようにしてのり付けされる（組子１６に対してものり付けされる）。
【００２２】
次に、中空ボード３０について説明する。
中空ボード３０は、上桟１１と中桟１４と左右の竪桟１３により囲まれる長方形と同形の二枚のパネル３１と、パネル３１間に介在する多数の短冊状のスラット３２が一体成形されたポリカーボネート中空板である。
【００２３】
スラット３２は、互いに平行であって図３に示した様に一方に傾いている。また、スラット３２は上桟１１とも平行であり等間隔に配されている。すなわち、スラット３２は断面において平行四辺形が連接した構造となっている。
【００２４】
中空ボード３０は、パネル３１は無色透明であって、スラット３２部分は白色透明に構成されている。本実施の形態では、平面視において、無色透明面積：白色透明面積＝１：２となるようなスラット３２傾斜としている。
【００２５】
大きさは一例として、パネル３１間隔６ｍｍ、パネル３１およびスラット３２の厚み０．７ｍｍ、傾斜角度約２７°（スラット間隔約８ｍｍ）とすることができる。
【００２６】
中空ボード３０は、障子紙２０側に向けてスラット３２が下に傾斜する向きに取り付けて固定する。固定方法は特に限定されないが、はめ込んだ後も、まだ、上桟１１、中桟１４、竪桟１３の厚みに余裕があれば、細長い条材にて縁止めする例を挙げることができる。
【００２７】
障子１は以上の構成であるので、次の作用効果を奏する。
・中空ボードの白色透明部分で減光するので夏場などの直射日光の進入を軽減する。
・中空ボードは白色透明な部分はもとより無色透明部分もポリカーボネート製であるので、赤外光や紫外光のカット作用があり、素材的な遮熱効果を奏する。
・白色透明部分が斜めとなっているので、光を反射し、構造的な遮熱効果を奏する。
・中空ボード自体がその構造に基づき断熱効果を有し、また、中空ボードと障子紙との間にも空気層があるため、重畳的に断熱効果を有する。すなわち、夏場の室内冷房、冬場の室内暖房の効果を維持しやすい。
・木質材や紙を用い、中空層があるため、結露しにくい。
・半透明および透明部分により、外の気配は依然として知得でき、また、組子も透けて見えるので意匠性に優れる。
・スラットと組子の組み合わせにより、室内が和風よりであっても洋風よりであっても、また、室外が和風よりであっても洋風よりであっても、違和感ない障子が演出できる。
・既存の障子に中空ボード３０を後付けしても上記作用効果を奏する。
【００２８】
なお、障子の態様は上記の例に限定されない。たとえば、スラット部分も無色透明にしても良いし、白色以外の有色透明とすることもできる。また、スラット部分もしくは全体を有色不透明としてもよい。平面視において、スラットが重なり合うようにしてもよい。
【００２９】
また中空ボードは、ポリカーボネートでなく、アクリル樹脂、ポリエチレン、ポリプロピレン、ポリ塩化ビニル、または、ポリエステル製としてもよい。適宜助剤を混和することにより、赤外線領域の遮光性を高めるようにしてもよい。
【産業上の利用可能性】
【００３０】
本考案によれば、和洋折衷デザインであって和室になじみ、太陽光の直接侵入を緩和し、断熱性を向上させた障子を提供することができる。
【符号の説明】
【００３１】
１        減光断熱障子
１０     枠体
１１     上桟
１２     下桟
１３     竪桟
１４     中桟
１５     腰板
１６     組子
２０     障子紙
３０     中空ボード
３１     パネル
３２     スラット
【図１】
0003219407.tif 000003
【図２】
0003219407.tif 000004
【図３】
0003219407.tif 000005